(57)【特許請求の範囲】
【請求項１】
移動体通信システムのフェムトセル基地局の発振器の動作を制御する方法であって、
前記移動体通信システムの少なくとも１つの他のマクロセル基地局により送信された信号を検出するステップと、
前記フェムトセル基地局内で生成された信号と、前記少なくとも１つの他のマクロセル基地局により送信されて検出された信号との間の周波数エラーを評価するステップと、
前記エラーを最小化するように、前記発振器の動作を制御するステップと、
前記発振器によって生成された信号に基づき、前記移動体通信システムのシステム・アップリンク周波数及びシステム・ダウンリンク周波数の信号を生成するステップと、
を含み、
前記周波数エラーを評価するステップは、前記少なくとも１つの他のマクロセル基地局により送信されたＣＰＩＣＨ信号に基づき行われることを特徴とする方法。
【請求項２】
前記周波数エラーを評価するステップは、前記ＣＰＩＣＨ信号のキャリア周波数と前記発振器によって生成された基準周波数との周波数オフセットにより生じる前記ＣＰＩＣＨ信号の位相の回転を測定するステップを含むことを特徴とする請求項１に記載の方法。
【請求項３】
前記移動体通信システムの複数の他のマクロセル基地局により送信された信号を検出するステップと、
前記信号のそれぞれの質の評価を形成するステップと、
前記フェムトセル基地局内で生成された信号と前記他のマクロセル基地局により送信され検出された信号との間の評価された周波数エラーに基づいて、合成された周波数エラーを評価するステップとを備え、
合成された周波数エラーの評価は、質の評価を考慮することを特徴とする請求項１又は２に記載の方法。
【請求項４】
合成された周波数エラーを評価するステップは、前記フェムトセル基地局内で生成された信号と前記他のマクロセル基地局により送信され検出された信号との間の評価された周波数エラーの重み付けされた合計を形成するステップを含むことを特徴とする請求項３に記載の方法。
【請求項５】
前記信号のそれぞれの質の評価を形成するステップは、前記信号のノイズ比を評価するステップを含むことを特徴とする請求項３に記載の方法。
【発明の詳細な説明】
【技術分野】
【０００１】
本発明は、移動体通信システム用の基地局に関し、特に、基地局内で生成された信号の周波数について要求された正確さを実現する方法に関する。
【背景技術】
【０００２】
他の無線周波数送信機および受信機と同様に、移動体基地局は、許容されるレベルでの正確さで、所望の周波数を有する信号を生成できることが必要である。これらの信号は、エア・インタフェースを通して他の機器に実際に送信される信号を生成するために用いられることができる。同様に、これらの信号は、他の装置からエア・インタフェースを通して受信された信号を復調する中で用いられることもできる。
【０００３】
基地局から送信された信号が各々の受信機により成功裡に復調されることができるために、また、基地局が受信した信号を成功裡に復調することができるために、これらの信号の周波数は、高い程度の正確さで制御可能であることが必要である。例えば、３ＧＰＰ仕様は、基地局における発振器が＋／−０．１ｐｐｍの正確さであるべきであることを要求している。
【０００４】
その要求された程度の正確さは典型的には、発振機を用いることにより得られることができる。発振器としては、例えば、オーブン制御された温度補償型（ＯＣＸＯ：Oven Controlled Temperature Compensated）水晶発振器である。しかしながら、これは、そのような発振器は幾分高価であり、特には比較的狭い領域に渡る範囲を提供すべきと意図されるのみであろう基地局の全体コストに関して高価である。
【発明の概要】
【０００５】
本発明の一態様によると、移動体通信システムの基地局における発振器の動作を制御する方法が提供される。その方法は、移動体通信システムの少なくとも１つの他の基地局により送信された信号を検出するステップと、前記基地局内で生成された信号と、前記少なくとも１つの他の基地局により送信され検出された信号との間での周波数エラーを評価するステップと、前記エラーを最小化するように前記発振器の動作を制御するステップとを備える。
【０００６】
本発明の一態様によると、移動体通信システムの基地局における発振器の動作を制御する方法が提供される。その方法は、基地局と他の基地局から送信されたフレーム間の時間差の第１の測定結果をレポートするようにモバイル機器に要求するステップと、基地局と他の基地局から送信されたフレーム間の時間差の第２の測定結果をレポートするようにモバイル機器に要求するステップと、前記レポートされた第１および第２の測定結果に基づいて、前記基地局内で生成された信号と、前記他の基地局内で生成された対応する信号との間の周波数オフセットを評価するステップと、前記評価された周波数オフセットに基づいて、前記発振器の動作を制御するステップとを備える。
【０００７】
これは、いずれの周波数の不正確さを補償するために、基地局が他の基地局からのタイミング情報を用いることができるという利点を有している。このことは、基地局が比較的低コストな発振器を備えることができるということを意味する。
【０００８】
本発明のよりよい理解のために、そして、どのように達成されるかということを示すために、例えば、添付された図面が参照される。
【図面の簡単な説明】
【０００９】
【図１】本発明の一態様に係る移動体無線通信ネットワークの一部を示すブロック概要図である。
【図２】本発明の一態様に係る基地局のブロック概要図である。
【図３】本発明の一態様に係る第１の方法を示すフローチャートである。
【図４】本発明の一態様に係る第２の方法を示すフローチャートである。
【発明を実施するための形態】
【００１０】
図１は、本発明の一態様に係る移動体無線通信ネットワークの一部分を示す。特に、図１は、移動体無線通信ネットワークのコアネットワーク（ＣＮ）１０と無線ネットワーク（ＲＮ）１２を示す。それらは、一般的な従来のものであり、本発明の理解用に必要な限定された程度にのみ図示され、記述されている。
【００１１】
従って、コアネットワーク１０は、公衆交換電話網（PSTN：Public Switched Telephone Network）（不図示）とパケットデータネットワークへの接続を有し、例えば、インターネット１４である。無線ネットワーク１２は、例えば、一般的な従来のＧＳＭ無線ネットワーク、ＵＭＴＳ無線ネットワークの少なくとも１つを含んでもよい。図１に示されるように、無線ネットワーク１２は、接続されるいくつかの基地局（ＢＳ）１６ａ、１６ｂ、１６ｃを有する。
【００１２】
当業者により認識されるであろうように、典型的な無線ネットワーク１２は、そのような多くの接続された基地局を有する。それらの基地局は、おのおのの地理的な領域、即ちセルに渡る範囲を提供する。そのことにより、サービスが加入者に対して有効になる。多くの場合、意図されるサービス領域全体への範囲を共に提供する基地局のグループがあり、一方、他の基地局は、意図されるサービス領域内のより狭い領域への付加的な範囲を提供している。特に、より小領域に対しては、サービスのためのより多くの需要が期待される。第１のグループの基地局により供給されるセルはマクロセルといわれ、一方、付加的な基地局により供給されるより狭い領域は、ミクロセルといわれる。
【００１３】
本発明はここで、３ＧＰＰ−ＷＣＤＭＡ標準に従って動作する移動体ネットワークを参照して記述されるが、いずれの標準規格やプロトコルに従って動作するいかなるネットワークにも等しく適用できると理解されるであろう。
【００１４】
図１は、また、例えば、単一の住宅もしくはオフィスビル内のような極めて狭い領域に渡る範囲を提供するために用いられることができる付加的な基地局１８を示す。これは、フェムトセル基地局（ＦＢＳ）といわれる。フェムトセル基地局１８は、一般的な小売店から顧客により購入され、購入後、顧客の既存のブロードバンドインターネット接続２０によりインターネット１４を通してモバイルネットワークオペレータのコアネットワーク１０に接続されることができる。従って、従来のモバイル電話２２のユーザは、フェムトセル基地局１８を通して他の機器と接続を確立することができる。同様に、他のいずれのモバイル電話は、基地局１６ａ、１６ｂ、１６ｃのようなモバイルネットワークオペレータのネットワークの他の基地局の１つを通して接続を確立することができる。
【００１５】
上述したように、マクロセル基地局は、フェムトセル基地局１８の位置とフェムトセル基地局１８の範囲領域にある間のモバイル電話２２の位置を含む意図されたサービス領域全体の範囲を提供する。
【００１６】
この特徴は、本発明の一態様において用いられ、より詳細に後述されるであろう。
【００１７】
図２は、基地局１８のより詳細な構成を示す図である。基地局は、デュプレクサ２４に接続されているアンテナ２２を有する。移動体無線ネットワークが、周波数分割多重の原理で動作し、各機器が既知の関係を有する一組の周波数上での無線周波数信号を同時に送信し受信することができる場合に、デュプレクサは、効果的に一組の整合されたフィルタとなる。それは、システム・ダウンリンク周波数（即ち、基地局１８の送信周波数）での信号をアンテナ２２へ送出させることを許可し、システム・アップリンク周波数（即ち、基地局１８の受信周波数）での信号をアンテナ２２から送出させることを許可する。
【００１８】
加えて、本発明の望ましい実施形態において、基地局１８は、割り当てられたシステム・ダウンリンク周波数において、他の基地局、例えば、基地局１６ａ、１６ｂ、１６ｃより送信された信号を検出することができる。例えば、基地局１８は、モバイル電話のようなユーザ機器において見出される従来の受信回路に対応する別の受信回路を備えるようにしてもよい。もしくは、更なる手段がアンテナ２２で受信したシステム・ダウンリンク周波数における信号を基地局１８において受信するように備えられてもよい。
【００１９】
基地局１８は、信号プロセッサ２６を含む。基地局１８による送信用の信号の場合、信号プロセッサ２６は、ディジタル信号を受信し、それらを基地局により用いられる通信標準に基づいて、要求されるフォーマットに変換する。そして、信号を送信ＲＦ回路（ＴＸ）２８に送出する。一般的な従来のように、送信ＲＦ回路２８は、信号をアナログフォームに変換し、それらをダウンリンク周波数Ｆｄｌでシンセサイザ回路３０により供給される発振信号を用いる要求された無線周波数にアップコンバート（upconvert）する。発振器の信号はシンセサイザ回路３０により供給され、シンセサイザ回路３０は、ＶＣＴＣＸＯ（電圧制御温度補償型水晶発振器）３２を含む。それは、典型的には、＋／−２．５ｐｐｍの周波数の正確さを有しているであろう。ＲＦ信号は、デュプレクサ２４を通して送信用のアンテナ２２に送出されることができる。
【００２０】
基地局１８への接続を有するモバイル機器により送信される信号の場合、信号は、アンテナ２２において受信される。そして、デュプレクサ２４を通して受信ＲＦ回路（ＲＸ）３４に送出される。一般的な従来のように、受信ＲＦ回路３４は、アップリンク周波数Ｆｕｌでシンセサイザ回路３０により供給される発振信号を用いる関連する無線周波数からの信号にダウンコンバート（downconvert）する。そして、それらをディジタルフォームに変換する。水晶信号は、また、ＶＣＴＣＸＯ３２により生成された信号に基づいてシンセサイザ回路３０から供給される。ディジタル信号は、その後、信号プロセッサ２６に送出される。
【００２１】
シンセサイザ回路３０は、コントローラ５０の制御の下、動作する。特に、本発明の文脈において、コントローラ５０は、生成された信号の周波数を制御するために、制御電圧信号をＶＣＴＣＸＯ３２に適用する。
【００２２】
本発明に従い、基地局１８は、他のネットワークノード、特には、マクロセル基地局１６ａ、１６ｂ、１６ｃと、フェムトセル基地局１８の範囲領域内のいずれかの付加されたモバイル電話２２との少なくとも１つにより送信される信号から引き出された情報を用いる。その結果、自身の操作を最適化する。
【００２３】
上述したように、マクロセル基地局は、フェムトセル基地局１８の位置とフェムトセル基地局１８の範囲領域に付加されたモバイル電話２２の位置を含む意図されたサービス領域全体の範囲を提供する。
【００２４】
上述したように、フェムトセル基地局１８は、比較的低コストな発振器を用いている。例えば、ＶＣＴＣＸＯ（電圧制御温度補償型水晶発振器）であり、典型的には、＋／−２．５ｐｐｍの周波数の正確さを有しているであろう。対象的に、３ＧＰＰ仕様は、基地局が＋／−０．１ｐｐｍかよりよい周波数の正確さ、マクロセル基地局の場合では＋／−０．０５ｐｐｍの周波数の正確さを伴うローカルな発振周波数信号を生成することができるべきであると要求している。
【００２５】
技術は、それゆえ、フェムトセル基地局１８内での周波数エラーを計算し補正するために用いられる。特に、シンセサイザ回路３０により生成された信号と関連付けられた周波数エラーの評価を形成するため、プロセスが実行されることができる。その後、コントローラ５０によりシンセサイザ回路３０に適用された制御信号は、このエラーを補正するために調整されることができる。
【００２６】
図３は、本発明の一態様に係る周波数エラーを評価する第１の方法を示すフローチャートである。
【００２７】
プロセスのステップ８０において、基地局１８は、図１に示すマクロセル基地局（即ち、ノードＢ）１６ａ、１６ｂ、１６ｃのような全ての検出可能なマクロセル基地局を識別する。そして、ステップ８２において、これらの基地局から送信されたＣＰＩＣＨシンボルを得る。基地局１８は、有利には、自身の送信を少しの間中止することにより他の基地局により送信された信号を検出することができる。もしくは、通常の途切れない動作を続ける間そのような信号を検出することができる適切な受信回路を備えることができる。これらの信号は、有利には、基地局の電源が入ったときに検出されることができる。また、所定の間隔もしくはいずれの利便性のよい間隔で検出されることができる。信号は、発振器３２の周波数を制御し、要求された正確さの範囲内を保つために用いられることができるだけの十分な頻度で検出されるべきである。
【００２８】
上述したように、マクロレイヤ基地局は典型的には、フェムトセル基地局よりもより正確な周波数基準回路を備える。本発明の一実施形態において、それゆえ、マクロセル基地局から送信された信号のみが検出されるべきであることが望ましい。これらの信号が基地局１８の周波数基準回路を補正するにおいて、フェムトセル基地局から送信された信号より信頼性があるように用いられることができるからである。例えば、各フェムトセル基地局は、送信の中にそのようなものとして識別する何かを含むようにしてもよい。代わりに、各フェムトセル基地局は、他のフェムトセル基地局により用いられるアクセスコードのリストを備えるようにしてもよい。他の代案として、管理システムは、フェムトセル基地局１８に、受信した送信のいずれがマクロセル基地局から来ているかについて知らせるようにしてもよい。
【００２９】
どのようなイベントにおいても、本発明の他の実施形態において、プロセスがマクロセル基地局であるかフェムトセル基地局であるかに関わらず、全ての検出可能な基地局からの送信を考慮する。これは、そのようなフェムトセル基地局での周波数基準回路が既に補正対象であるべきであり、容認できるほどに正確であるべきであるという事実と、後述する平均化プロセスが、全体の結果が幾分不正確な周波数信号を受信することにより過度に妨げられないほどに十分堅牢であるという事実によっている。
【００３０】
基地局１８は、その後、これらの隣接するマクロレイヤノードＢ１６ａ、１６ｂ、１６ｃのキャリア周波数を評価する。特には、ステップ８４において、基地局１８は、検出された基地局のそれぞれについて周波数オフセットの算出を行う。
【００３１】
知られていることとしては、Ｐ−ＣＰＩＣＨのディ・スプレッド（de-spread）シンボルは、位相平面においてベクタ（１＋ｊ）により表されるべきである。また、各送信されたシンボルの位相が知られている。基地局１８は、その後、内部で生成された基準回路を用いてこれらのシンボルを検出する。送信されたＣ−ＰＩＣＨ信号のキャリア周波数と内部で生成された基準周波数との間の周波数オフセットは、チップをわずかに時間とともに回転させる。特に、その回転量は周波数オフセットのサイズに依存し、回転は時間とともに蓄積する。
【００３２】
理想的な場合、ノイズがなく、２つの隣接するシンボルｓ（ｎ）とｓ（ｎ＋１）の間の位相差がΦであり、周波数差Δｆは、次式で決定されることができる。
0005520053.tif 000002
これは、それゆえ、シンボル数である大文字の数字Ｎで平均化されることができる。
0005520053.tif 000003
ノイズがない場合には、次式に等しくなる。
0005520053.tif 000004
明らかに、我々はノイズがない環境にはいない。しかし、平均化の効果は、正当なレイ（ray）についての評価を得ていることを確信する一助になるべきである。
【００３３】
次の段階は、プロセスのステップ８６において、最大比合成法（ＭＲＣ）スキームへの近似を用いて所定のノードＢについてのレイを合成する。このようにして、ノイズの影響を最小限にするために、レイについてのＳＮＲの評価に基づいて、スケールファクタが各レイ用に生成される。これは、周波数エラーとチャネル効果を補償する立場に我々がいないという事実に起因する不正確な評価のみである。そして、結果として、これをシンボルの絶対値の分散と平均に基づくことが必要である。従って、上述のように計算されたデカルト値は、アークタンジェント（arctan）関数を用いて位相Φに変換される最終的な複素振幅（phasor）を与えるように重み付けされ合成される。
【００３４】
その後、ステップ８８において、検出可能な基地局からの測定結果の合成に基づいて周波数補正が判定され適用される。この段階で、検出された信号のＳＮＲも同様に考慮されるべきである。ここで、ＥＣ／ＬＯ比についてのメトリック（metric）は有効であるべきであり、上記で用いられた近似法よりさらに信頼があると考えられるべきである。その計算は、重心（centre of gravity）計算となり、各モーメントは、ＳＮＲと所定の基地局についての周波数オフセット評価との出力物である。全てのノードＢについての加算と平均ＳＮＲによる除算は、周波数オフセットとＳＮＲ評価により記述されるカーブの重心に対応する周波数を出力するであろう。
【００３５】
認識されるであろうこととして、単純に算出された周波数オフセットの平均（例えば、単一の不正確な算出により引き起こされるひずみを避けるための方法であり、好ましくは、中央値）を選択することを含む他の技術が適用されることができる。
【００３６】
周波数補正は、ＶＣＴＣＸＯ２２の制御入力に、ディジタル−アナログ変換器を通して補正電圧を印加することにより適用されることができる。
【００３７】
図４は、本発明の一態様に係る、周波数エラーを評価する第２の方法を示すフローチャートである。
【００３８】
本第２の方法において、基地局１８は、ＵＥ１８からのＳＦＮ（システムフレーム番号）−ＳＦＮ測定結果を要求する。基地局１８と隣接するノードＢとの間の関連するＳＦＮフレーム境界位置は基地局１８のローカル発信器の基準に関連しているので、ＵＥ  ＳＦＮ−ＳＦＮ測定結果を用いることが基地局１８と隣接するノードＢとの間の周波数オフセットの評価を提供している。これは、ローカルの周波数基準オフセットを補正するために基地局１８により用いられることができる。
【００３９】
システムフレーム番号（ＳＦＮ）は、ダウンリンク・物理レイヤ・チャネルの全てのタイミングが引き出されるキーとなる１０ｍｓｅｃカウンタであり、基地局１８と周辺のマクロセル基地局１６ａ、１６ｂ、１６ｃのいずれの基地局内にある。特定のノードＢ内のＳＦＮフレームタイミングの正確さとは、ローカルな周波数基準の機能である。従って、もし、ローカルな周波数基準が＋／−０．１ｐｐｍもしくは＋／−０．０５ｐｐｍの正確さを有するのであれば、ＳＦＮデータクロックは、同様のタイミングの正確さを有するであろう。
【００４０】
ハンドオーバをサポートするために、ＵＥは、選択された隣接するセルと付加された基地局、この場合は、基地局１８からのＳＦＮ−ＳＦＮ測定結果をレポートするように依頼されることができる。この測定結果は、２つの異なるＳＦＮ境界の間での時差である。もし、２つのローカルな発振器の間の周波数オフセットがゼロであるならば、もっともなこととして、２つの連続するＳＦＮ−ＳＦＮ測定結果との間で、ＵＥ２２から基地局１８にレポートされたこの時差は、一定のままであろう。
【００４１】
他方、２つの連続するＳＦＮ−ＳＦＮ測定結果の間での差は、２つのローカルな発振器の間で周波数オフセットが存在することを示唆するであろう。その差は、本質的にエラー信号であり、ディジタル−アナログ（Ｄ／Ａ）変換器を通して、ＶＣＴＣＸＯ３２の周波数オフセットを補正するために用いられるであろう。繰り返されたＳＦＮ−ＳＦＮ測定結果は、ＳＦＮ−ＳＦＮ測定結果における不正確さの効果を低減するために複数の測定結果に渡って平均化されることができる。複数の隣接するノードＢは、平均基準周波数を取得し、単一の隣接するノードＢの周波数エラーのバイアス効果を低減する。
【００４２】
プロセスのステップ１２０において、時間Ｔ０で、基地局１８は、範囲領域にあるＵＥ、例えばＵＥ２２、からの第１のＳＦＮ−ＳＦＮ測定結果を要求する。この要求は、基地局１６ａのような少なくとも１つの特定の隣接するマクロレイヤ基地局を特定しなければならない。その方法は隣接するマクロレイヤ基地局の１つにおける測定結果を要求することにより実行されることができるが、さらなる正確さが複数の隣接するマクロレイヤ基地局からの測定結果を要求し、そして、結果が平均化されることによって達成されてもよい。単一の時間間隔で全ての測定結果を取得することが可能であるようにしてもよく、もしくは、異なる時間において、全ての要求された測定結果を取得することが必要であるようにしてもよい。
【００４３】
ステップ１２２において、基地局１８は、ＵＥから要求された第１のＳＦＮ−ＳＦＮ測定結果を受信する。
【００４４】
ステップ１２４において、時間Ｔ１で、基地局１８は、ＵＥからの第２のＳＦＮ−ＳＦＮ測定結果を要求する。それは、基地局１６ａのような同一の隣接するマクロレイヤ基地局を特定する。
【００４５】
ステップ１２６において、基地局１８は、ＵＥからの要求された第２のＳＦＮ−ＳＦＮ測定結果を受信する。
【００４６】
各隣接するマクロレイヤ基地局からの、レポートされた第１のＳＦＮ−ＳＦＮ測定結果とレポートされた第２のＳＦＮ−ＳＦＮ測定結果との間のいかなる差も、一方では、フレームタイミングを生成する基地局１８において用いられる発振器信号と、他方では、フレームタイミングを生成する関連するマクロレイヤ基地局１６ａにおいて用いられる発振器信号との間の周波数オフセットに起因している。
【００４７】
上記のプロセスの一例として、隣接するノードＢの周波数基準が通常の周波数（例えば、３ＧＰＰ仕様により特定される正確さ以内）と比較して＋０．０１ｐｐｍの正確さを有し、補償されていないときの基地局１８における周波数基準が−２．５ｐｐｍの正確さを有する場合に、隣接するノードＢと基地局１８との間の周波数エラーの合計は、−２．４９ｐｐｍとなる。
【００４８】
この不正確さは、以下の式が１０ＭＨｚ基準について示すように、毎秒約−１．５４２チップのチップレートの差となるであろう。
【００４９】
チップレートエラー＝（３．８４Ｍｃｓ／−２．４９ｐｐｍ）チップ／秒
ここで、３．８４Ｍｃｓは、標準のチップレートである。
【００５０】
もし、時間Ｔ０でレポートされた第１のＳＦＮ−ＳＦＮ測定結果が１０００チップであり、第２の測定が行われる時間Ｔ１がＴ０＋１００秒と等しい場合、第２のＳＦＮ−ＳＦＮ測定結果は、１０００−１５４．２チップ＝８４５．８チップをレポートするであろう。それは、毎秒約−１．５４２チップのチップレート差が第１のＳＦＮ−ＳＦＮ測定結果と第２のＳＦＮ−ＳＦＮ測定結果との間で経過した１００秒に渡って蓄積されたであろうことと同じである。
【００５１】
２つのＳＦＮ−ＳＦＮ測定結果の間の差は、隣接するノードＢと基地局１８との間の周波数エラーについての評価を引き出すことに用いられることができ、以下の方法において算出される。
【００５２】
周波数エラー＝[３．８４×１０＾６[（８４５．８−１０００）／１００秒]]ｐｐｍ
ステップ１２８において、周波数オフセットは、ディジタル−アナログ（Ｄ／Ａ）変換器を通してＶＣＴＣＸＯ３２に適用されることができる周波数補正を判定することに用いられる。ＶＣＴＣＸＯに印加されたＤ／Ａ電圧は、以下のように算出される。
【００５３】
Ｄ／Ａ電圧＝従前のＤ／Ａ電圧＋（周波数エラーＸＴＡＬ周波数／電圧スロープ）
最後に、上述したように、周波数エラーは、複数の測定結果と複数のノードＢに渡り平均化され、測定エラーを最小化する。
【００５４】
それゆえ、他のネットワークノードについての測定結果に基づいて、より低い仕様、即ち高価でない発振機器を許可するように、発振器の信号の周波数を制御する方法が記述される。
【図１】
0005520053.tif 000005
【図２】
0005520053.tif 000006
【図３】
0005520053.tif 000007
【図４】
0005520053.tif 000008